(57)【要約】【課題】  アクセスポイント装置間のハンドオーバ直後に、無線端末宛の信号を対向端末が送信しても無線端末に信号を正常に与える。【解決手段】  本発明のアクセスポイント装置は、他のアクセスポイント装置から当該アクセスポイント装置に無線端末がハンドオーバするとき、無線経路を切り替える無線経路切替手段と、無線経路の切替時に、無線端末のアドレス情報を通信元として含むダミー信号を形成して、各アクセスポイント装置を収容する１又は複数の交換装置に到達又は通過するように送信するダミー信号送信手段とを備える。ダミー信号により、交換装置は、内蔵する無線端末に関する管理情報を更新させる。本発明の通信システムにおいて、本発明のアクセスポイント装置を適用している。【選択図】      図１
2006295820.tif 000002
【特許請求の範囲】
【請求項１】
無線端末を収容可能なアクセスポイント装置において、
他装置の第１のアクセスポイント装置から当該装置である第２のアクセスポイント装置に無線端末がハンドオーバするとき、上記第１のアクセスポイント装置を収容している第１の交換装置及び上記第１のアクセスポイント装置を介して通信していた上記無線端末を、上記第２のアクセスポイント装置を収容している第２の交換装置及び上記第２のアクセスポイント装置を介して通信する無線手段と、
上記ハンドオーバ時に、上記無線端末のアドレス情報を通信元として含むダミー信号を形成して、上記第１及び第２の交換装置に到達又は通過するように送信するダミー信号送信手段と
を備えることを特徴とするアクセスポイント装置。
【請求項２】
上記ダミー信号送信手段は、上記ダミー信号を同報送信することを特徴とする請求項１に記載のアクセスポイント装置。
【請求項３】
上記ダミー信号送信手段は、上記ダミー信号の送信先アドレスを上記第１のアクセスポイント装置のアドレス情報とすることを特徴とする請求項１に記載のアクセスポイント装置。
【請求項４】
無線端末を収容可能な複数のアクセスポイント装置と、１又は複数の上記アクセスポイント装置を収容する１又は複数の交換装置とを有する通信システムにおいて、
少なくとも一部の上記各アクセスポイント装置として、請求項１〜３のいずれかに記載のアクセスポイント装置を適用したことを特徴とする通信システム。
【発明の詳細な説明】
【技術分野】
【０００１】
本発明はアクセスポイント装置及び通信システムに関し、例えば、アクセスポイント装置でのハンドオーバ処理におけるスイッチ接続情報の更新方法に適用し得るものである。
【背景技術】
【０００２】
無線ＬＡＮ上で、無線ＶｏＩＰ端末がハンドオーバする従来方法を、図２のブロック図を用いて説明する。
【０００３】
図２において、複数のアクセスポイント装置１０３（１０３−１、１０３−２）は、レイヤ２スイッチ１０２のいずれかのポート（図示のものはポートＰ３及びＰ４）に収容されており、レイヤ２スイッチ１０２の他のポート（図示のものはポートＰ６）は、ルータ１０１を介して外部ネットワークＮＥＴに接続されている。なお、外部ネットワークＮＥＴには、外部端末１００が接続されている。各アクセスポイント装置１０３はそれぞれ、有線ＬＡＮインタフェース部（イーサネット（登録商標）インタフェース部）１０４、制御部１０５、無線部１０６を有している。無線ＶｏＩＰ端末１１０は、いずれかのアクセスポイント装置１０３に収容されて通信を行う。
【０００４】
アクセスポイント装置１０３−１に接続されていた無線ＶｏＩＰ端末１１０が通信中に移動し、アクセスポイント装置１０３−２の管轄エリアに入るようになると、アクセスポイント装置１０３−１からアクセスポイント装置１０３−２へハンドオーバし、無線ＶｏＩＰ端末１１０はアクセスポイント装置１０３−２に再接続される。
【０００５】
このようなアクセスポイント装置間のハンドオーバについては、例えば、特許文献１に記載されている。
【特許文献１】特開２００４−２２９２２５号
【発明の開示】
【発明が解決しようとする課題】
【０００６】
しかしながら、図２に示すような通信システムの構成では、無線ＶｏＩＰ端末１１０が移動してポートＰ３に接続されているアクセスポイント装置１０３−１からポートＰ４に接続されているアクセスポイント装置１０３−２へハンドオーバしたが、無線ＶｏＩＰ端末１１０からのフレームがアクセスポイント装置１０３−２を介してレイヤ２スイッチ１０２に届いていないときに、外部端末１００から無線ＶｏＩＰ端末１１０向けに送信されたフレームがあった場合、そのフレームが無線ＶｏＩＰ端末１１０に正確に届かないという課題があった。以下、図３を用いて、かかる課題について説明する。
【０００７】
無線ＶｏＩＰ端末１１０は、アクセスポイント装置１０３−１を介して通信中である。このような状態において、外部端末１００が無線ＶｏＩＰ端末１１０向けのフレームをレイヤ２スイッチ１０２に送信したとする（Ｓ１０）。このフレームは、レイヤ２スイッチ１０２からアクセスポイント装置１０３−１へ転送され（Ｓ１１）、さらに、アクセスポイント装置１０３−１から無線ＶｏＩＰ端末１１０へ転送される（Ｓ１２）。
【０００８】
無線ＶｏＩＰ端末１１０がこのような通信中に移動し、アクセスポイント装置１０３−１からアクセスポイント装置１０３−２へハンドオーバしたとする。無線ＶｏＩＰ端末１１０は、移動先のアクセスポイント装置１０３−２に再接続要求し、再接続される（Ｓ１３）。しかし、レイヤ２スイッチ１０２に、アクセスポイント装置１０３−２が中継する無線ＶｏＩＰ端末１１０からのフレームが届いていない状況においては、レイヤ２スイッチ１０２におけるＭＡＣアドレステーブルの無線ＶｏＩＰ端末１１０のレコードは更新されていない。
【０００９】
上述した再接続直後のタイミングで、外部端末１００が無線ＶｏＩＰ端末１１０向けのフレームをレイヤ２スイッチ１０２に送信したとする（Ｓ１４）。レイヤ２スイッチ１０２は、無線ＶｏＩＰ端末１１０がアクセスポイント装置１０３−１に接続していると継続して認識しているので、そのフレームをアクセスポイント装置１０３−１へ転送し、通信は失敗する（Ｓ１５）。
【００１０】
なお、図３では、外部端末１００が外部ネットワークＮＥＴに接続されている例を示したが、無線ＶｏＩＰ端末の移動先のアクセスポイント装置以外に接続する端末であれば、同様の課題が発生することが考えられる。
【００１１】
そのため、無線端末を収容しているアクセスポイント装置間のハンドオーバ直後に、その無線端末宛の信号を対向する端末が送信しても、その無線端末に信号を与えることができるアクセスポイント装置及び通信システムが望まれている。
【課題を解決するための手段】
【００１２】
かかる課題を解決するため、第１の本発明は、無線端末を収容可能なアクセスポイント装置において、（１）他装置の第１のアクセスポイント装置から当該装置である第２のアクセスポイント装置に無線端末がハンドオーバするとき、上記第１のアクセスポイント装置を収容している第１の交換装置及び上記第１のアクセスポイント装置を介して通信していた上記無線端末を、上記第２のアクセスポイント装置を収容している第２の交換装置及び上記第２のアクセスポイント装置を介して通信する無線手段と、（２）上記ハンドオーバ時に、上記無線端末のアドレス情報を通信元として含むダミー信号を形成して、上記第１及び第２の交換装置に到達又は通過するように送信するダミー信号送信手段とを備えることを特徴とする。
【００１３】
第２の本発明は、無線端末を収容可能な複数のアクセスポイント装置と、１又は複数の上記アクセスポイント装置を収容する１又は複数の交換装置とを有する通信システムにおいて、少なくとも一部の上記各アクセスポイント装置として、第１の本発明のアクセスポイント装置を適用したことを特徴とする。
【発明の効果】
【００１４】
本発明のアクセスポイント装置及び通信システムによれば、無線端末を収容するアクセスポイント装置間のハンドオーバがあったとき、ハンドオーバ先のアクセスポイント装置がダミー信号を送信して、交換装置における無線端末に関する管理情報を更新させるようにしたので、ハンドオーバ直後に、その無線端末宛の信号を対向端末が送信しても、その無線端末は、ハンドオーバ先でも、その無線端末宛の信号を受信することができる。
【発明を実施するための最良の形態】
【００１５】
（Ａ）第１の実施形態１
以下、本発明のアクセスポイント装置及び通信システムの第１の実施形態を、図面を参照しながら説明する。
【００１６】
（Ａ−１）第１の実施形態の構成
図１は、第１の実施形態の通信システムの構成を示すブロック図である。
【００１７】
図１において、第１の実施形態の通信システム（ＬＡＮ）２０は、ルータ２０１、レイヤ２スイッチ２０２、複数のアクセスポイント装置２０３（２０３−１、２０３−２、…）、無線ＶｏＩＰ端末２１０を構成要素としている。
【００１８】
ルータ２０１は、当該無線ＬＡＮを外部ネットワークＮＥＴと接続させるものであり、既存のものを適用することができる。なお、外部ネットワークＮＥＴにおける外部端末２００も、当該無線ＬＡＮの無線ＶｏＩＰ端末２１０と通信し得る。ルータ２０１としては、既存のものを適用でき、その内部構成の説明は省略する。
【００１９】
レイヤ２スイッチ２０２は、ＭＡＣアドレスに基づいて、イーサネットのＭＡＣフレームを交換転送するものであり、既存のものを適用することができる。図１の例の場合、レイヤ２スイッチ２０２のポートＰ３はアクセスポイント装置２０３−１に接続され、ポートＰ４はアクセスポイント装置２０３−２に接続され、ポートＰ６はルータ２０１に接続されている。レイヤ２スイッチ２０２としては、既存のものを適用でき、その内部構成の説明は省略する。
【００２０】
ここで、第１の実施形態のレイヤ２スイッチ２０２は、一般的なレイヤ２スイッチと同様に、自己が交換処理している無線ＶｏＩＰ端末２１０等のＭＡＣアドレスを、ポート番号や、アクセスポイント装置（２０３）の装置ＩＤなどと対応付けて管理しているＭＡＣアドレステーブル２０２ａを内蔵しており、接続状態の変化などに応じて、ＭＡＣアドレステーブル２０２ａを適宜更新するものである。
【００２１】
無線ＶｏＩＰ端末２１０がポート４のアクセスポイント装置２０３−２に接続されているということを認識し、ＭＡＣアドレステーブルをそのように更新する。
【００２２】
各アクセスポイント装置２０３−１、２０３−２、…はそれぞれ、無線ＶｏＩＰ端末２１０と、有線ＬＡＮ部分とで授受するＭＡＣフレームを中継する機能を担っている。
【００２３】
無線ＶｏＩＰ端末２１０は、例えば、携帯ＩＰ電話機などのＶｏＩＰプロトコルに従って音声通信する端末である。ノートパソコンに、それ用の無線ＬＡＮカードを装着した、携帯可能のソフトフォンであっても良い。無線ＶｏＩＰ端末２１０としては、既存のものを適用でき、その内部構成の説明は省略する。
【００２４】
各アクセスポイント装置２０３（２０３−１、２０３−２、…）はそれぞれ、有線ＬＡＮインタフェース部（イーサネットインタフェース部）２０４（２０４−１、２０４−２、…）、制御部２０５（２０５−１、２０５−２、…）、無線部２０６（２０６−１、２０６−２、…）及びダミーフレーム送信部２０７（２０７−１、２０７−２、…）を有している。
【００２５】
有線ＬＡＮインタフェース部２０４は、有線ＬＡＮ側とのインタフェース機能を担っているものである。この第１の実施形態も、ＬＡＮは、イーサネットに従っているものとする。
【００２６】
無線部２０６は、無線ＶｏＩＰ端末２１０に対する無線ＬＡＮ（無線回線）とのインタフェース機能を担っているものである。
【００２７】
制御部２０５は、呼接続制御（例えば、ハンドオーバ時の再接続処理）や、有線ＬＡＮでのＭＡＣフレームと無線ＬＡＮでのＭＡＣフレーム間の変換などを行うものである。この制御部２０５は、今まで収容していない無線ＶｏＩＰ端末２１０から、再接続要求があった場合には、ダミーフレーム送信部２０７を起動させ、協働して後述するようなダミーフレームをレイヤ２スイッチ２０２に送信するものである。
【００２８】
ダミーフレーム送信部２０７は、接続情報を扱う制御部２０５と連携し、ハンドオーバしてきた無線ＶｏＩＰ端末２１０の情報を得て、送信元を無線ＶｏＩＰ端末２１０のＭＡＣアドレス、送信先を、外部端末２００に係るＭＡＣアドレスではなく、ブロードキャストアドレスに設定したダミーフレームを送信するものである。
【００２９】
ＭＡＣフレーム構成を、周知であるが、参考までに、図４に示している。ＭＡＣフレームは、プリアンブル、スタートフレームデリミーター（ＳＦＤ）、送信先ＭＡＣアドレス、送信元ＭＡＣアドレス、データ長、データ及びフレームチェックシーケンスからなっている。
【００３０】
（Ａ−２）第１の実施形態の動作
次に、第１の実施形態のアクセスポイント装置及び通信システムの動作、特に、ハンドオーバ前後の動作を、図５のシーケンス図をも参照しながら説明する。
【００３１】
まず、無線ＶｏＩＰ端末２１０が、アクセスポイント装置２０３−１に接続していて、通信中であるとする。
【００３２】
このような状況においては、外部端末２００が無線ＶｏＩＰ端末２１０向けのフレームをレイヤ２スイッチ２０２に送信すると（Ｓ２０）、そのフレームは、レイヤ２スイッチ２０２からアクセスポイント装置２０３−１へ転送され（Ｓ２１）、さらに、アクセスポイント装置２０３−１から無線ＶｏＩＰ端末２１０へ転送されて、無線ＶｏＩＰ端末２１０に到達する（Ｓ２２）。
【００３３】
無線ＶｏＩＰ端末２１０が、通信中に、アクセスポイント装置２０３−１の管轄エリアからアクセスポイント装置２０３−２の管轄エリアに移動すると、無線ＶｏＩＰ端末２１０は、アクセスポイント装置２０３−２に再接続要求をし、アクセスポイント装置２０３−２と接続する（Ｓ２３）。アクセスポイント装置２０３−２のダミーフレーム送信部２０７−２）は、接続情報を扱う制御部２０５−２と連携し、ハンドオーバしてきた無線ＶｏＩＰ端末２１０の情報を得て、送信元を無線ＶｏＩＰ端末２１０のＭＡＣアドレス、送信先をブロードキャストアドレスとしたダミーフレームを送信し(Ｓ２４)、このダミーフレームは、レイヤ２スイッチ２０２に到達する。レイヤ２スイッチ２０２は、転送処理のために受信したＭＡＣフレームの送信先ＭＡＣアドレスなどを判別しているが、今回受信したダミーフレームに対するアドレスの判別により、無線ＶｏＩＰ端末２１０が、自己のポートＰ４に接続されているアクセスポイント装置２０３−２に接続されているということを認識し、内蔵するＭＡＣアドレステーブルをそのように更新する（Ｓ２４）。
【００３４】
なお、ダミーフレームは、ブロードキャストフレームであるので、レイヤ２スイッチ２０２から外部端末２００にも転送され得るが、外部端末２００は、受信したブロードキャストフレームに有効なデータが挿入されていないので、その受信を無視する。
【００３５】
ハンドオーバの直後のタイミングで、外部端末２００が無線ＶｏＩＰ端末２１０向けのフレームをレイヤ２スイッチ２０２に送信したとする(Ｓ２５)。このフレームは、レイヤ２スイッチ２０２において無線ＶｏＩＰ端末２１０の収容先がアクセスポイント装置２０３−２に既に書き換えられているので、アクセスポイント装置２０３−２へ転送され（Ｓ２６）、さらに、アクセスポイント装置２０３−２から無線ＶｏＩＰ端末２１０へ転送される（Ｓ２７）。
【００３６】
以上のようにして、ハンドオーバ直後でも、外部端末２００からの無線ＶｏＩＰ端末２１０向けフレームは、ハンドオーバ先のポートＰ４のアクセスポイント装置２０３−２へ正確に転送され、通信に成功する。
【００３７】
なお、図５では、外部端末２００が外部ネットワークＮＥＴ（図１）を介して無線ＶｏＩＰ端末２１０をアクセスする場合を示したが、無線ＶｏＩＰ端末２１０の移動先のアクセスポイント装置以外に接続する端末が無線ＶｏＩＰ端末２１０の対向端末であれば、図５と同様な動作を行う。
【００３８】
（Ａ−３）第１の実施形態の効果
以上のように、第１の実施形態によれば、無線ＶｏＩＰ端末２１０のハンドオーバ直後にアクセスポイント装置２０３−２がハンドオーバで受け入れた無線ＶｏＩＰ端末２１０のＭＡＣアドレスを送信元、ブロードキャストアドレスを送信先としたダミーフレームを送信することにより、レイヤ２スイッチ２０２が、無線ＶｏＩＰ端末２１０のハンドオーバ直後にＭＡＣアドレステーブルを変更することができ、ハンドオーバ直後に受信した無線ＶｏＩＰ端末２１０向けのフレームも正確に転送することができる。
【００３９】
（Ｂ）第２の実施形態
次に、本発明のアクセスポイント装置及び通信システムの第２の実施形態を、図面を参照しながら説明する。
【００４０】
第２の実施形態の通信システムも、全体構成は、第１の実施形態に係る図１で表すことができる。しかしながら、アクセスポイント装置２０３の制御部２０５及びダミーフレーム送信部２０７の機能が、第１の実施形態のものと異なっている。
【００４１】
第２の実施形態の制御部２０５は、ダミーフレーム送信部２０７と連携して、第２の実施形態でのダミーフレームを送信させるものである。また、制御部２０５は、当該アクセスポイント装置２０３を送信先とし、送信元はハンドオーバ前の無線ＶｏＩＰ端末２１０であるフレーム（ダミーフレーム）を受信した場合には、それを廃棄するものである。
【００４２】
第２の実施形態のダミーフレーム送信部２０７は、制御部２０５と連携し、当該アクセスポイント装置２０３が無線ＶｏＩＰ端末２１０のハンドオーバ先として無線ＶｏＩＰ端末２１０と再接続したときに、送信元を無線ＶｏＩＰ端末２１０のＭＡＣアドレス、送信先をハンドオーバ前に接続していたアクセスポイント装置２０３−１のＭＡＣアドレスに設定したダミーフレームを送信させるものである。
【００４３】
次に、第２の実施形態のアクセスポイント装置及び通信システムの動作、特に、ハンドオーバ前後の動作を、図６のシーケンス図をも参照しながら説明する。
【００４４】
ハンドオーバ前の一般的な通信動作は、第１の実施形態と変わりはない。すなわち、外部端末２００が無線ＶｏＩＰ端末２１０向けのフレームをレイヤ２スイッチ２０２に送信すると（Ｓ３０）、そのフレームは、レイヤ２スイッチ２０２からアクセスポイント装置２０３−１へ転送され（Ｓ３１）、さらに、アクセスポイント装置２０３−１から無線ＶｏＩＰ端末２１０へ転送されて、無線ＶｏＩＰ端末２１０に到達する（Ｓ３２）。
【００４５】
無線ＶｏＩＰ端末２１０が、通信中に、アクセスポイント装置２０３−１の管轄エリアからアクセスポイント装置２０３−２の管轄エリアに移動すると、無線ＶｏＩＰ端末２１０は、アクセスポイント装置２０３−２に再接続要求をする(Ｓ３３)。ハンドオーバ前に無線ＶｏＩＰ端末２１０が接続されていたアクセスポイント装置２０３−１とハンドオーバ後に無線ＶｏＩＰ端末２１０が接続されるアクセスポイント装置２０３−２とが、その無線ＶｏＩＰ端末２１０の情報を授受する（Ｓ３４；情報授受は、無線によるものであっても良く、レイヤ２スイッチ２０２を介したものであっても良い）。無線ＶｏＩＰ端末２１０は、ハンドオーバ先のアクセスポイント装置２０３−２と接続する（Ｓ３５）。
【００４６】
ステップＳ３３〜Ｓ３５の処理は第１の実施形態でも実行されているものであるが（Ｓ２３参照）、第２の実施形態に係る図６では、詳細に書き出したものである。ハンドオーバ先のアクセスポイント装置２０３−２が、ハンドオーバ前のアクセスポイント２０３−１のＭＡＣアドレスを取得できることを明らかにするために書き出したものである。
【００４７】
なお、第１の実施形態の場合、ハンドオーバ元のアクセスポイント装置２０３−１とハンドオーバ先のアクセスポイント装置２０３−２とが情報授受を実行しないでハンドオーバする通信システムに対しても適用可能であるが、第２の実施形態は、ハンドオーバ元のアクセスポイント装置２０３−１とハンドオーバ先のアクセスポイント装置２０３−２とが情報授受を実行してハンドオーバする通信システムに適用することができる。
【００４８】
アクセスポイント装置２０３−２のダミーフレーム送信部２０７−２は、接続情報を扱う制御部２０５−２と連携し、ハンドオーバしてきた無線ＶｏＩＰ端末２１０の情報を得て、送信元を無線ＶｏＩＰ端末２１０のＭＡＣアドレス、送信先をハンドオーバ時に得た情報から、無線ＶｏＩＰ端末２１０がハンドオーバ前に接続していたアクセスポイント装置２０３−１のＭＡＣアドレスと設定したダミーフレームをレイヤ２スイッチ２０２に向けて送信する（Ｓ３６）。
【００４９】
レイヤ２スイッチ２０２は、受信したダミーフレームの入力ポート番号や受信したダミーフレームのアドレス分析などにより、無線ＶｏＩＰ端末２１０がポートＰ４接続のアクセスポイント装置２０３−２に接続されているということを認識し、内蔵するＭＡＣアドレステーブルをそのように更新すると共に、レイヤ２スイッチ２０２はそのダミーフレームをハンドオーバ前に無線ＶｏＩＰ端末２１０が接続されていたアクセスポイント装置２０３−１に転送する（Ｓ３７）。
【００５０】
なお、アクセスポイント装置２０３−１の制御部２０５−１は、受信したフレームの送信元及び送信先ＭＡＣアドレスの組合せに基づいて、そのフレームがダミーフレームであることを認識し、受信したフレームを破棄する。
【００５１】
外部端末２００が無線ＶｏＩＰ端末２１０向けのフレームを送信し、ハンドオーバ直後（送信はその前でも良い）において、そのフレームがレイヤ２スイッチ２０２に到達したとする（Ｓ３８）。このフレームは、レイヤ２スイッチ２０２において無線ＶｏＩＰ端末２１０の収容先がアクセスポイント装置２０３−２に既に書き換えられているので、アクセスポイント装置２０３−２へ転送され（Ｓ３９）、さらに、アクセスポイント装置２０３−２から無線ＶｏＩＰ端末２１０へ転送される（Ｓ４０）。
【００５２】
以上のようにして、ハンドオーバ直後でも、外部端末２００からの無線ＶｏＩＰ端末２１０向けフレームは、ハンドオーバ先のポートＰ４のアクセスポイント装置２０３−２へ正確に転送され、通信に成功する。
【００５３】
なお、図６では、外部端末２００が外部ネットワークＮＥＴを介して無線ＶｏＩＰ端末２１０をアクセスする場合を示したが、無線ＶｏＩＰ端末２１０の移動先のアクセスポイント装置以外に接続する端末が無線ＶｏＩＰ端末２１０の対向端末であれば、図６と同様な動作を行う。
【００５４】
以上のように、第２の実施形態によれば、無線ＶｏＩＰ端末２１０のハンドオーバ直後に、アクセスポイント装置２０３−２がハンドオーバで受け入れた無線ＶｏＩＰ端末２１０のＭＡＣアドレスを送信元、ハンドオーバ前に接続していたアクセスポイント装置２０３−１のＭＡＣアドレスを送信先としたダミーフレームを送信することにより、レイヤ２スイッチ２０２は、無線ＶｏＩＰ端末２１０のハンドオーバ直後にＭＡＣアドレステーブルを変更することができ、ハンドオーバ直後に受信した無線ＶｏＩＰ端末２１０向けのフレームも正常に転送させることができる。
【００５５】
（Ｃ）他の実施形態
上記各実施形態では、レイヤ２スイッチが一段構成のＬＡＮに適用した場合を示したが、図７に示すようなレイヤ２スイッチが多段構成のＬＡＮに対しても、本発明を適用することができる。
【００５６】
第１の実施形態の技術思想をレイヤ２スイッチが多段構成のＬＡＮに適用した場合においては、送信先をブロードキャストアドレスとしたダミーフレームを送信しているので、同じドメイン内に存在する全てのレイヤ２スイッチ２０２−１、２０２−２、…でＭＡＣアドレステーブルが更新され、多段構成でも、いずれかのレイヤ２スイッチが無線ＶｏＩＰ端末と新たに接続したアクセスポイント装置にフレームを転送でき、該当する無線ＶｏＩＰ端末に正常にフレームを転送させることができる。
【００５７】
第２の実施形態の技術思想をレイヤ２スイッチが多段構成のＬＡＮに適用した場合においては、ダミーフレームの送信先であるアクセスポイント装置までの経路上に存在するレイヤ２スイッチ２０２−１、２０２−２、…のＭＡＣアドレステーブルが更新され、多段構成でも、いずれかのレイヤ２スイッチが無線ＶｏＩＰ端末と新たに接続したアクセスポイント装置にフレームを転送でき、該当する無線ＶｏＩＰ端末に正常にフレームを転送させることができる。
【００５８】
以上のようなレイヤ２スイッチの数だけでなく、アクセスポイントの数、無線ＶｏＩＰ端末の数等も、上記各実施形態のものに限定されず、レイヤ２スイッチとアクセスポイント装置との接続ポートも、上記各実施形態のものに限定されない。
【００５９】
上記各実施形態では、無線端末が音声信号を取り扱う無線ＶｏＩＰ端末の場合を示したが、本発明は、無線ＶｏＩＰ端末に限定されるものではない。
【図面の簡単な説明】
【００６０】
【図１】第１の実施形態の通信システムの構成を示すブロック図である。
【図２】従来の通信システムの構成を示すブロック図である。
【図３】従来の課題を説明するためのシーケンス図である。
【図４】ＭＡＣフレームの構成を示す説明図である。
【図５】第１の実施形態の通信システムのハンドオーバ前後の通信動作を示すシーケンス図である。
【図６】第２の実施形態の通信システムのハンドオーバ前後の通信動作を示すシーケンス図である。
【図７】変形実施形態の通信システムの構成を示すブロック図である。
【符号の説明】
【００６１】
２０…通信システム（ＬＡＮ）、２０１…ルータ、２０２、２０２−１、２０２−２…レイヤ２スイッチ、２０３−１、２０３−２…アクセスポイント装置、２０４−１、２０４−２…有線ＬＡＮインタフェース部、２０５−１、２０５−２…制御部、２０６−１、２０６−２…無線部、２０７−１、２０７−２…ダミーフレーム送信部、２１０…無線ＶｏＩＰ端末。
【図１】
2006295820.tif 000003
【図２】
2006295820.tif 000004
【図３】
2006295820.tif 000005
【図４】
2006295820.tif 000006
【図５】
2006295820.tif 000007
【図６】
2006295820.tif 000008
【図７】
2006295820.tif 000009